(57)【要約】  マルチメディア放送および同報サービス（ＭＢＭＳ：ｍｕｌｔｉｍｅｄｉａ  ｂｒｏａｄｃａｓｔ  ｍｕｌｔｉｃａｓｔ  ｓｅｒｖｉｃｅ）専用セル中でＭＢＭＳを送信するための方法が開示される。本方法は、ＷＴＲＵ（ｗｉｒｅｌｅｓｓ  ｔｒａｎｓｍｉｔ／ｒｅｃｅｉｖｅ  ｕｎｉｔ）が、セル情報を含むＢＣＨ（ｂｒｏａｄｃａｓｔ  ｃｈａｎｎｅｌ）を受信するステップを含む。
2010505350.tif 000002
【特許請求の範囲】
【請求項１】
マルチメディア放送および同報サービス（ＭＢＭＳ：ｍｕｌｔｉｍｅｄｉａ  ｂｒｏａｄｃａｓｔ  ｍｕｌｔｉｃａｓｔ  ｓｅｒｖｉｃｅ）専用セル中で、ＭＢＭＳを送信する方法において、
無線送受信装置（ＷＴＲＵ：ｗｉｒｅｌｅｓｓ  ｔｒａｎｓｍｉｔ／ｒｅｃｅｉｖｅ  ｕｎｉｔ）が、前記ＭＢＭＳ専用セルに関する情報を含むＢＣＨ（ｂｒｏａｄｃａｓｔ  ｃｈａｎｎｅｌ）を受信するステップ
を備えることを特徴とする方法。
【請求項２】
前記情報は、複数のセル固有の情報、および複数の近接するセル情報を含むことを特徴とする請求項１に記載の方法。
【請求項３】
前記セル固有の情報は、
ＭＣＣＨ（ＭＢＭＳ  ｃｏｎｔｒｏｌ  ｃｈａｎｎｅｌ）時間の指示と、
ＭＣＣＨ周波数の指示と、
システムのフレーム番号識別子と
のうちの少なくとも１つを含むことを特徴とする請求項２に記載の方法。
【請求項４】
前記近接するセル情報は、
非同期化されたランダムアクセスの送信を許可するセルの指示と、
ページングチャネルを利用するセルの指示と、
ＷＴＲＵがページング応答をどこに送信できるかのセルの指示と、
ＲＡＣＨ（ｒａｎｄｏｍ  ａｃｃｅｓｓ  ｃｈａｎｎｅｌ）情報と、
ダウンリンクタイミング情報と
のうちの少なくとも１つを含むことを特徴とする請求項２に記載の方法。
【請求項５】
前記ＷＴＲＵがＰＣＨ（ｐａｇｉｎｇ  ｃｈａｎｎｅｌ）を受信するステップをさらに備え、前記ＰＣＨは、
近接するセルに対するＲＡＣＨ関連情報と、
近接するセルに対するダウンリンクタイミング情報と、
ページングインジケータと
のうちの少なくとも１つを含むことを特徴とする請求項１に記載の方法。
【請求項６】
マルチメディア放送および同報サービス（ＭＢＭＳ：ｍｕｌｔｉｍｅｄｉａ  ｂｒｏａｄｃａｓｔ  ｍｕｌｔｉｃａｓｔ  ｓｅｒｖｉｃｅ）セル中で、複数の無線送受信装置（ＷＴＲＵ：ｗｉｒｅｌｅｓｓ  ｔｒａｎｓｍｉｔ／ｒｅｃｅｉｖｅ  ｕｎｉｔ）を動作させる方法において、
前記複数のＷＴＲＵのそれぞれに対して、共通の測定ギャップを調整するステップ
を備えることを特徴とする方法。
【請求項７】
前記ＷＴＲＵが、近接するセルに対するフレームタイミングおよびＢＣＨタイミングに関する情報を受信するステップと、
前記ＷＴＲＵが、近接するセルに対する前記フレームタイミングおよびＢＣＨタイミングに基づいて、共通の測定をスケジューリングするステップと
をさらに備えることを特徴とする請求項６に記載の方法。
【請求項８】
前記ＷＴＲＵが、ＭＢＭＳスケジューリングエンティティから、近接するセルに対するフレームタイミングおよびＢＣＨタイミングに関する前記情報を受信するステップをさらに備えることを特徴とする請求項７に記載の方法。
【請求項９】
前記ＷＴＲＵが、前記ＭＢＭＳセル中でアップリンクデータを送信するステップをさらに備え、前記アップリンクデータは、
アップリンクデータと、
ページング応答と、
ＭＢＭＳフィードバックと、
ＵＲＡ（ＵＭＴＳ  ｒｅｇｉｓｔｒａｔｉｏｎ  ａｒｅａ）更新と、
システムのフレーム番号識別と、
ＭＢＭＳセル識別と
のうちの少なくとも１つを含むことを特徴とする請求項６に記載の方法。
【請求項１０】
前記ＷＴＲＵが、非同期のＲＡＣＨ（ｒａｎｄｏｍ  ａｃｃｅｓｓ  ｃｈａｎｎｅｌ）上でアップリンクデータを送信するステップをさらに備えることを特徴とする請求項９に記載の方法。
【請求項１１】
前記ＷＴＲＵが、前記ＭＢＭＳセルの前記ＢＣＨからＲＡＣＨ関連情報を取得するステップをさらに備えることを特徴とする請求項９に記載の方法。
【請求項１２】
前記ＷＴＲＵが、前記ＭＢＭＳセルの前記ＰＣＨからＲＡＣＨ関連情報を取得するステップをさらに備えることを特徴とする請求項９に記載の方法。
【請求項１３】
前記ＷＴＲＵが、ページングされた後、近接するセルからＲＡＣＨ関連情報を取得するステップをさらに備えることを特徴とする請求項９に記載の方法。
【請求項１４】
前記ＷＴＲＵが、ＰＣＨを受信する直前に、近接するＭＢＭＳセルからＲＡＣＨ関連情報を取得するステップをさらに備えることを特徴とする請求項９に記載の方法。
【請求項１５】
マルチメディア放送および同報サービス（ＭＢＭＳ：ｍｕｌｔｉｍｅｄｉａ  ｂｒｏａｄｃａｓｔ  ｍｕｌｔｉｃａｓｔ  ｓｅｒｖｉｃｅ）セル中で、無線送受信装置（ＷＴＲＵ：ｗｉｒｅｌｅｓｓ  ｔｒａｎｓｍｉｔ／ｒｅｃｅｉｖｅ  ｕｎｉｔ）を動作させる方法において、
前記ＷＴＲＵで、複数のデータフレーム、複数のインジケータフレーム、および複数の制御フレームを受信するステップを含み、前記インジケータフレームは、前記制御フレームの送信を示していることを特徴とする方法。
【請求項１６】
前記ＷＴＲＵが、ＭＴＣＨ（ＭＢＭＳ  ｔｒａｆｆｉｃ  ｃｈａｎｎｅｌ）を介して、データと共にＭＢＭＳ制御情報を受信するステップをさらに含むことを特徴とする請求項１５に記載の方法。
【請求項１７】
前記インジケータフレームは、
次のｎ個のフレームが制御フレームであることの指示と、
前記指示制御フレームの後に続くいくつかの制御フレームと
の少なくとも一方を含むことを特徴とする請求項１６に記載の方法。
【請求項１８】
無線マルチメディア放送および同報サービス（ＭＢＭＳ：ｍｕｌｔｉｍｅｄｉａ  ｂｒｏａｄｃａｓｔ  ｍｕｌｔｉｃａｓｔ  ｓｅｒｖｉｃｅ）セル中で動作するように構成された無線送受信装置（ＷＴＲＵ：ｗｉｒｅｌｅｓｓ  ｔｒａｎｓｍｉｔ／ｒｅｃｅｉｖｅ  ｕｎｉｔ）であって、
測定のために信号を受信すること、および
前記信号を測定にマッチさせるように、測定ギャップを調整すること
を実施するようにさらに構成されたことを特徴とするＷＴＲＵ。
【請求項１９】
受信機を備えたことを特徴とする請求項１８に記載のＷＴＲＵ。
【請求項２０】
ＭＢＭＳ専用搬送波を受信するように構成された第１の受信機と、
第２の搬送波を受信するように構成された第２の受信機と
を備えたことを特徴とする請求項１８に記載のＷＴＲＵ。
【請求項２１】
前記第２の受信機は、前記第１の受信機が専用のＭＢＭＳセル中で通信しながら、共通の測定を実施するように構成されたことを特徴とする請求項２０に記載のＷＴＲＵ。
【請求項２２】
前記ＷＴＲＵは、前記第１の受信機を用いて測定を実施するように、また必要な測定数が所定の閾値を超える場合、前記第２の受信機を用いて測定を実施するように構成されたことを特徴とする請求項２０に記載のＷＴＲＵ。
【請求項２３】
ＭＢＭＳチャネルを前記ＷＴＲＵが受信していないとき、ＢＣＨまたはパイロットチャネルを受信するように構成されたことを特徴とする請求項２０に記載のＷＴＲＵ。
【請求項２４】
無線マルチメディア放送および同報サービス（ＭＢＭＳ：ｍｕｌｔｉｍｅｄｉａ  ｂｒｏａｄｃａｓｔ  ｍｕｌｔｉｃａｓｔ  ｓｅｒｖｉｃｅ）セル中で動作するように構成されるノードＢであって、
前記ＭＢＭＳセル中の複数の無線送受信装置（ＷＴＲＵ）による測定のための共通信号を送信し、１群のＷＴＲＵに対して共通のＰＣＨを送信すること、および
各ＷＴＲＵが前記共通のＰＣＨを受信するように、各ＷＴＲＵのＤＲＸ（ｄｉｓｃｏｎｔｉｎｕｏｕｓ  ｒｅｃｅｐｔｉｏｎ）を調整すること
を実施するようにさらに構成されたことを特徴とするノードＢ。
【請求項２５】
前記ノードＢは、ＢＣＨ、ＰＣＨ（ｐｉｌｏｔ  ｃｈａｎｎｅｌ）、およびＭＢＭＳチャネルを含む複数のチャネルを送信するようにさらに構成されたことを特徴とする請求項２４に記載のノードＢ。
【発明の詳細な説明】
【技術分野】
【０００１】
一般に、Ｅ−ＵＴＲＡ（Ｅｖｏｌｖｅｄ  ＵＴＲＡ（Ｕｎｉｖｅｒｓａｌ  Ｔｅｒｒｅｓｔｒｉａｌ  Ｒａｄｉｏ  Ａｃｃｅｓｓ））システムにおけるＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ；マルチメディア同報通信マルチキャストサービスまたはマルチメディア放送および同報サービス）専用セル中のＷＴＲＵ（ｗｉｒｅｌｅｓｓ  ｔｒａｎｓｍｉｔ  ｒｅｃｅｉｖｅ  ｕｎｉｔ；無線送信受信装置）の動作が開示される。より詳細には、ＭＢＭＳ専用セルにおけるＷＴＲＵのためのダウンリンクおよびアップリンク通信が開示される。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）は、世界規模の無線通信を改良するために作業する業界グループである。そのＬＴＥ（Ｌｏｎｇ  Ｔｅｒｍ  Ｅｖｏｌｕｔｉｏｎ）プロジェクトは、近い将来と遠い将来における無線通信システムを改良するために、標準およびガイドラインを設定することに注目している。加入者に対してＥ−ＵＴＲＡネットワークを介してマルチメディアコンテンツを高い信頼性で配信するための効率的な機構として、ＭＢＭＳをさらに改良するために、３ＧＰＰ  ＬＴＥの標準化努力の中で専用のＭＢＭＳセルが検討されている。ＭＢＭＳの専用セルとは、ダウンリンク中でＭＢＭＳだけがサポートされるセルのことである。ＭＢＭＳの専用セル中では、アップリンクのユニキャストサービスはサポートされない。
【発明の概要】
【発明が解決しようとする課題】
【０００３】
一般に、ＭＢＭＳアーキテクチャは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）リリース６でサポートされているが、専用のＭＢＭＳセルはサポートされていない。ＵＭＴＳリリース６に準拠したＭＢＭＳ専用セルに対するＷＴＲＵ動作をサポートする方法および装置を有することが望ましいはずである。
【課題を解決するための手段】
【０００４】
専用のＭＢＭＳセルにおける無線通信のための方法および装置が開示される。ＷＴＲＵは、ＭＢＭＳ専用セル上に存在しながら、ＢＣＨ（ｂｒｏａｄｃａｓｔ  ｃｈａｎｎｅｌ；報知チャネル）を受信することができる。ＢＣＨは、セル情報を含むことが好ましい。特定のＭＢＭＳ専用セル上に存在するＷＴＲＵは、測定ギャップを合わせることができる。ＷＴＲＵは、制御フレームが、データフレームに付加されるように、制御フレームを受信することができる。ＷＴＲＵは、混合されたＭＢＭＳセルにおけるアップリンクチャネル中で送信することができる。
【０００５】
本発明のさらなる詳細な理解は、例として示された、また添付の図面と併せて理解すべき以下の好ましい実施形態の説明から得ることができるだろう。
【図面の簡単な説明】
【０００６】
【図１】一実施形態によるＢＣＨ共通測定ギャップを示す図である。
【図２】他の実施形態によるＰＣＨ（ｐａｇｉｎｇ  ｃｈａｎｎｅｌ）共通測定ギャップを示す図である。
【図３】代替の実施形態によるＭＢＭＳ専用セルにおける不連続受信に対するＰＣＨ共通測定ギャップを示す図である。
【図４】他の代替の実施形態による一連のデータフレームおよび制御フレームを示す図である。
【図５】他の代替の実施形態によるＭＢＭＳ信号中のデータフレームおよび付加されたインジケータフレームを示す図である。
【図６】他の代替の実施形態によるＭＢＭＳ信号中で付加された制御フレームを有するデータフレームを示す図である。
【発明を実施するための形態】
【０００７】
以下参照する場合は、用語「ＷＴＲＵ（ｗｉｒｅｌｅｓｓ  ｔｒａｎｓｍｉｔ／ｒｅｃｅｉｖｅ  ｕｎｉｔ：無線送信受信装置）」は、これだけに限らないが、ＵＥ（ｕｓｅｒ  ｅｑｕｉｐｍｅｎｔ：ユーザ機器）、移動局、固定または移動の加入者ユニット、ページャ、セルラ電話、ＰＤＡ（携帯情報端末）、コンピュータ、または無線環境中で動作できる他の任意のタイプのユーザ装置を含む。以下参照する場合、用語「基地局」は、これだけに限らないが、ノードＢ、サイト制御装置、ＡＰ（アクセスポイント）、または無線環境中で動作できる他の任意のタイプのインターフェース装置を含む。
【０００８】
単一受信機のＷＴＲＵ
ＷＴＲＵは、１つのＭＢＭＳ専用セルまたは１つのＭＢＭＳ混合セルを１度に受信できる帯域幅能力を有する単一の受信機を含むことができる。単一受信機のＷＴＲＵが適正に機能するために、ＷＴＲＵは、ＭＢＭＳ専用セルにおけるＢＣＨからセル固有の情報を受信する必要がある。セル固有の情報は、ＭＣＣＨ（ＭＢＭＳ  ｃｏｎｔｒｏｌ  ｃｈａｎｎｅｌ；ＭＢＭＳ制御チャネル）の時間および周波数位置の指示（表示：ｉｎｄｉｃａｔｉｏｎ）を含み、またＭＢＭＳシステムのフレーム番号を搬送することができる。セル固有の情報はまた、ＳＦＮ（ｓｉｎｇｌｅ  ｆｒｅｑｕｅｎｃｙ  ｎｅｔｗｏｒｋ；単一周波数ネットワーク）動作のためのＩＤ（識別子）を含むこともできる。
【０００９】
ＭＢＭＳ専用セル中のＢＣＨはまた、近接したセルの情報を搬送することができる。そのセルには、これだけに限らないが、ＷＴＲＵが非同期のランダムアクセスデータを送信できる宛先のセルと、ＭＢＭＳ専用セル中で、ページングが送信されない場合にＷＴＲＵがページングチャネルをそこから受信できるセルとが含まれ得る。近接するセルの情報はまた、ページング応答と、ＲＡＣＨ（ｒａｎｄｏｍ  ａｃｃｅｓｓ  ｃｈａｎｎｅｌ；ランダムアクセスチャネル）関連情報、およびダウンリンクのタイミング情報などの他のセル情報とを送信できる宛先のセルを含むことができる。ＢＣＨは、ＭＣＣＨと組み合わされて、１つのチャネルにすることができる。
【００１０】
ＰＣＨ（ｐａｇｉｎｇ  ｃｈａｎｎｅｌ）は、測定および受信ギャップ、ならびにその結果のＭＢＭＳ受信への割込みを減らすために、ＭＢＭＳ専用セル中で搬送されることが好ましい。しかし、ページング応答ＲＡＣＨは、ＭＢＭＳ混合セル中で送られることが好ましいはずである。
【００１１】
通常のページング情報に加えて、ＲＡＣＨ（ｒａｎｄｏｍ  ａｃｃｅｓｓ  ｃｈａｎｎｅｌ）関連情報、およびダウンリンクのタイミング情報など他のセルからの情報を搬送することもできる。この情報は、ＢＣＨ上で搬送される情報と併せて送信することができる。または、ＲＡＣＨおよびダウンリンクのタイミング関連情報がＢＣＨ上で何も搬送されない場合は、単独で送られる。その情報により、ＷＴＲＵはＭＢＭＳの受信に対して最大の時間量を使用できるようになり、したがって、ＭＢＭＳ割込み時間およびバッテリ消費量を最小化する。
【００１２】
ページングインジケータは、物理的なぺージングチャネルの一部として、またはＭＣＣＨ上で運ぶことができる。さらに、物理的なＰＣＨは、ＭＣＣＨとは別に運ぶことができるが、ＭＣＣＨ中に組み込むこともできる。
【００１３】
Ｅ−ＵＴＲＡシステムにおける正常な動作を維持するために、ＷＴＲＵは、規則的に信号強度測定を実施することが好ましい。しかし、典型的なＭＢＭＳ専用セルは、ＷＴＲＵが適正な測定を実施するのに必要な情報を同報通信しない。したがって、ＭＢＭＳ専用セル上に存在するＷＴＲＵが、これらの測定を実施するために、その受信機を、専用のＭＢＭＳではない他のセルに合わせて再調整（同調）することが好ましい。この測定は、セル探索、ＢＣＨ、ＰＣＨおよびページングの受信を含むことができる。ＷＴＲＵが測定を行っている間の時間は、測定ギャップと呼ばれるが、それを、測定およびチャネル受信に対しても使用することができる。
【００１４】
周波数間、または無線アクセス技術（ＲＡＴ；ｒａｄｉｏ  ａｃｃｅｓｓ  ｔｅｃｈｎｏｌｏｇｙ）間の測定ギャップ中には、ＷＴＲＵはＭＢＭＳデータを受信することができない。したがって、ＷＴＲＵ性能を高めるために、測定ギャップを最小化すべきであり、あるいはある範囲内に制御する必要がある。
【００１５】
測定ギャップは、セル中のすべてのＷＴＲＵに、同時に、再同調させかつ測定を受信させることによって、制御することができる。ＭＢＭＳスケジューリングエンティティは、近接するセルに対するフレームタイミング情報、およびＢＣＨタイミングを取得することができる。ＭＢＭＳスケジューリングエンティティは、次いで、ＷＴＲＵが、近接するセルのＢＣＨを受信するように、ＭＢＭＳ専用セル上に存在するすべてのＷＴＲＵに対して、共通の測定ギャップをスケジュールすることができる。各ＷＴＲＵに対する実際のＢＣＨタイミングは異なることになるが、時間の差は、フレーム長と比較してわずかである。
【００１６】
図１は、一実施形態によるＢＣＨ共通測定ギャップ１００を示す。ＴBCH１０２は、ノードＢにおけるＢＣＨタイミングであり、ＴRF１０４は、ＷＴＲＵ中のＲＦ受信機を、ある搬送波から他の搬送波へと再同調するための時間である。Δd１０６は、セル半径に依存する最大の伝播遅延を示す。図１に示すように、共通の測定ギャップは、ノードＢにおけるＢＣＨの前のＴRF１０４で始まり、Δd１０６に加えてノードＢのＢＣＨの後のＴRF１０４で終了する。ノードＢは、セル中の各ＷＴＲＵを、この測定ギャップを使用するように設定する。測定ギャップの基礎をセル中の個々のＷＴＲＵではなく、ノードＢに置くことは、ＭＢＭＳ専用搬送波におけるＭＢＭＳ受信に対する割込みを低減するＢＣＨ共通測定ギャップ１００を作成する。他の測定を、共通測定ギャップを作成するために使用することもできる。測定は、これだけに限らないが、ダウンリンクの同期化チャネル、および近接セルにおけるパイロット信号を含むことができる。
【００１７】
図２は、他の実施形態によるＰＣＨ（ｐａｇｉｎｇ  ｃｈａｎｎｅｌ）共通測定ギャップ２００を示す。図２で示すように、ＰＣＨ共通測定ギャップ２００は、ノードＢにおけるＰＣＨの前のＴRF２０４で始まり、Δd２０６に加えてノードＢのＰＣＨ後のＴRF２０４で終了する。ノードＢは、セル中の各ＷＴＲＵを、ＰＣＨ共通測定ギャップ２００を使用するように設定する。測定ギャップの基礎をセル中の個々のＷＴＲＵではなく、ノードＢに置くことは、ＭＢＭＳ専用搬送波におけるＭＢＭＳ受信に対する割込みを低減する共通測定ギャップを作成する。短い周波数間ＰＣＨ測定ギャップは、ＭＢＭＳ専用搬送波におけるＭＢＭＳ受信への割込みを最小化するために使用される。
【００１８】
ノードＢは、各ＷＴＲＵの不連続受信（ＤＲＸ：ｄｉｓｃｏｎｔｉｎｕｏｕｓ  ｒｅｃｅｐｔｉｏｎ）サイクルを調整し、また同じＭＢＭＳチャネルに対するページングおよび加入をリッスン（ｌｉｓｔｅｎ）するすべてのＷＴＲＵの起動時間を合わせることができる。ＷＴＲＵは、非ＭＢＭＳのノードＢに対して、これだけに限らないが、ＢＣＨ、ＭＣＣＨ、およびデータチャネル中の情報エレメントに対するタイミングを含み得るそのＭＢＭＳ受信タイミング情報を送信することができる。図３は、代替の実施形態によるＭＢＭＳ専用セルにおける不連続受信に対するＰＣＨ共通測定ギャップを示す。ＷＴＲＵ１  ３０４およびＷＴＲＵ２  ３０６は共に、測定を目的としてＰＣＨを受信するために、ＭＢＭＳ混合セル３０２をリッスンしている。ＷＴＲＵ１  ３０４に対するＰＣＨ１  ３１０が、時間ＴPCHW1  ３０８に同報通信される。ＷＴＲＵ２  ３０４に対するＰＣＨ２  ３１２は、ＴPCHW2  ３１４に同報通信される。ＰＣＨ１  ３１０は、Ｔ１  ３１６だけシフトすることができ、またＰＣＨ２  ３１２は、時間Ｔ２  ３１８だけシフトすることができ、したがって、ＰＣＨ１  ３１０およびＰＣＨ２  ３１２は、共にＴPCHGR  ３２０で同報通信される。ＷＴＲＵ１  ３０４およびＷＴＲＵ２  ３０６の両方に対する新しい単一のＰＣＨは、いまやＰＣＨＧＲ  ３２２となる。
【００１９】
ＤＲＸ期間は、ネットワークによりグループ化することができる。ＷＴＲＵが専用セル中でリッスンしているチャネルは、ネットワークに知られているか、あるいは送信されることが好ましく、したがって、ネットワークは、その専用セルＭＢＭＳチャネルおよび関連する制御の送信時間と重複することのないように、ＷＴＲＵのＤＲＸ期間をスケジュールすることができる。
【００２０】
ＷＴＲＵは、測定ギャップを使用することなく、専用のＭＢＭＳセル中に存在しながら、測定することができる。ＭＢＭＳ専用セルは、連続的に送信することができるが、多くのチャネルは周期的に送信される。したがって、任意の１つのチャネルの送信時間を短くすることができる。ＷＴＲＵは、少なくとも１つの、または代替的に少数のチャネルをリッスンすることができる。したがって、ＷＴＲＵは、これらのチャネルの送信時間中に、ならびにＭＢＭＳ専用セル中で必要なスケジューリングおよび他の制御情報を搬送するために使用されるチャネルの送信時間中に、リッスンすることができる。ＭＢＭＳ専用セル上に存在するＷＴＲＵの場合、ＷＴＲＵは、そのＭＢＭＳチャネルをリッスンすることはないが、同期化チャネル、ＢＣＨ、およびパイロット信号の周波数間測定を行うことができる。測定ギャップは必要ではない可能性がある。
【００２１】
ページングは、ＷＴＲＵおよびネットワークに共に知られている疑似ランダム的方法でスケジュールすることができる。スケジュールの疑似ランダム的性質により、重複するイベントは独立すると考えられる。重複するイベントは、ＷＴＲＵに対するページング時間が、そのＭＢＭＳチャネルに対する送信時間と重なるときに生ずる。ＷＴＲＵは、ＭＢＭＳ送信に高い優先度を与えることができ、その結果、何らかのページング損失となり得る。代替的には、ＷＴＲＵはページングに優先度を与えることができるが、その結果、ＭＢＭＳ信号の何らかの損失となり得る。優先度をどのように配分するかの決定は、ＷＴＲＵにより、ネットワークにより、あるいは所定の、もしくは動的なルールにより行うことができる。代替的には、ＭＢＭＳは、ページングにかかわらず、半ランダム的方法でスケジュールすることができる。どちらの信号に優先度が与えられようと、ページングのために混合セルに切り換えられたとき、ＷＴＲＵは、ページングインジケータチャネル、ページングチャネル、またはその両方をリッスンすることができる。
【００２２】
ＭＢＭＳ専用セル上に存在するＷＴＲＵは、ＷＴＲＵが、送信すべきアップリンクデータを有する場合、またページングに応じる必要のある場合、適切なＭＢＭＳ混合セルのアップリンク中で送信することが好ましい。ＷＴＲＵはまた、ＭＢＭＳに対するフィードバックを有する場合、またＵＲＡ（ＵＴＲＡＮ  ｒｅｇｉｓｔｒａｔｉｏｎ  ａｒｅａ；ＵＴＲＡＮ登録領域）更新を実施する場合、アップリンク中で送信することもできる。ＵＲＡでは、ＷＴＲＵは、システムのフレーム番号ＩＤ、ＭＢＭＳ専用セルＩＤ、ＭＢＭＳタイミング情報などの情報を含むことができる。
【００２３】
アップリンク送信の場合、ＷＴＲＵは、ＭＢＭＳ混合セル中で、非同期のランダムアクセスチャネルを使用することができる。ＭＢＭＳ専用セル中で、ＰＣＨが搬送されない場合、ＷＴＲＵは、近接するセルのいずれかのダウンリンクタイミングを取得するために、非初期（ｎｏｎ−ｉｎｉｔｉａｌ）のセル探索を連続して実施することができる。
【００２４】
ＷＴＲＵは、ＭＢＭＳ混合セルのＢＣＨの連続的な読取りからＲＡＣＨ情報を取得することができる。ＷＴＲＵは、次いで、ＭＢＭＳ混合セルのアップリンクに、直ちにアクセスすることができる。これは、長い測定ギャップと引き替えに達成される。
【００２５】
ＷＴＲＵは、ＭＢＭＳ専用セルのＢＣＨおよび／またはＰＣＨを介して、ＲＡＣＨ関連情報を取得することができる。ＷＴＲＵはまた、ＭＢＭＳ混合セルのアップリンクに、直ちにアクセスすることができる。これは、可能性のある大きなＢＣＨおよびＰＣＨペイロードと引き替えに達成される。
【００２６】
ＷＴＲＵは、ページングされた後に限って、近接するＭＢＭＳ混合セルのＲＡＣＨ関連情報を取得することができる。測定ギャップを最小化することができるが、アップリンク送信において生ずる可能性のある大きな遅延と引き替えることになり得る。
【００２７】
ＷＴＲＵは、ＰＣＨをリッスンする前の適正な時間に、近接するＭＢＭＳ混合セルのＲＡＣＨ関連情報の取得を開始することができる。ＷＴＲＵは、そのＤＲＸサイクルを知っている。ＷＴＲＵがページングされた場合、ＲＡＣＨ関連情報は既に取得されており、ＲＡＣＨ送信を直ちに行うことができる。測定ギャップを、アップリンク送信において大きく遅延させることなく最小化することができる。
【００２８】
二重受信機のＷＴＲＵ
ＷＴＲＵは、二重（ｄｕａｌ）の受信機を有することができる。二重受信機の機能により、ＷＴＲＵは、ＭＢＭＳ専用の搬送波および混合搬送波を同時に受信することが可能になる。二重受信機を有するＷＴＲＵは、両方の搬送波上に存在することができる。二重受信機の機能はまた、ＷＴＲＵが、ＭＢＭＳデータを受信しながら送信することを可能にする。ＷＴＲＵの機能を、ネットワークはシグナリングを介して知ることができる。ＷＴＲＵが、二重の受信、または同時受信を含む送信を行うことができない場合、Ｅ−ＵＴＲＡネットワークは、ＭＢＭＳ割込みを最小化するように、ＲＡＣＨアクセスを生成するダウンリンクイベントをスケジュールするために、単一の受信機ユニットに対して使用されるタイミング情報と同様のＭＢＭＳ専用タイミング情報を使用することができる。
【００２９】
二重受信機コンフィギュレーションはまた、測定ギャップ制御の点でＷＴＲＵの柔軟性を可能にする。しかし、これは、より費用のかかる受信機および高いＲＦ電力消費量を犠牲にして得られることになる。しかし、測定ギャップの数または長さとＲＦ電力消費量の間のトレードオフは、バランスさせることができる。
【００３０】
適正なＭＢＭＳ受信を維持するために、測定ギャップに対して割り当てることのできるいくつかのサブフレームに対して、閾値を設定することができる。１つの受信機は、いくつかの測定ギャップが閾値未満である限りアクティブな状態のままである。したがって、時間のかかる再同調を受信機に要求しないので、ＰＣＨは、ＭＢＭＳ専用搬送波で運ばれることが好ましい。必要な測定ギャップの数が閾値を超える場合、第２の受信機がオンになり測定を実施する。
【００３１】
別々の制御フレーム中のＭＢＭＳ制御情報は、ＭＴＣＨ（ＭＢＭＳ  ｔｒａｆｆｉｃ  ｃｈａｎｎｅｌ；ＭＢＭＳトラフィックチャネル）を介して、データと共に送信することができる。制御とデータとを区別するために、指示（ｉｎｄｉｃａｔｉｏｎ）フレームを含めることができる。このフレームは短くすることができ、また次のいくつかのフレームが制御フレームであるという指示を含めることが可能であり、いくつかの制御フレームが、その指示の後に続く。代替的には、制御情報は、データフレームに付加することもできる。
【００３２】
図４は、他の代替の実施形態による一連のデータフレームおよび制御フレームを示す図である。ＭＢＭＳデータフレーム４０２がＭＴＣＨ中で同報通信される。ＭＢＭＳデータフレーム４０２の後に続くのは、制御インジケータフレーム４０４であり、それはインジケータフレーム４０４の後に続くフレームが制御フレームであることを示す。ＭＢＭＳ制御フレーム４０６は、インジケータフレーム４０４の後に続く。
【００３３】
図５は、他の代替の実施形態によるＭＢＭＳ信号中のデータフレームおよび付加されたインジケータフレームを示す。ＭＢＭＳデータフレーム５０２がＭＴＣＨ中で同報通信される。制御インジケータ５０４は、制御フレーム５０６に付加される。制御インジケータ５０４は、制御インジケータ５０４がその上に付加されたフレームがＭＢＭＳ制御フレーム５０４であることを示す。
【００３４】
図６は、他の代替の実施形態によるＭＢＭＳ信号中で、付加された制御フレームを有するデータフレームを示す図である。ＭＢＭＳデータフレーム６０２がＭＴＣＨ中で同報通信される。ＭＢＭＳ制御フレーム６０４は、ＭＢＭＳデータフレーム６０２に付加される。信号中で、制御インジケータが同報通信されることはない。ＢＣＣＨ（ｂｒｏａｄｃａｓｔ  ｃｏｎｔｒｏｌ  ｃｈａｎｎｅｌ；報知チャネル）は、ＭＢＭＳ制御情報のために、ＭＴＣＨを介するデータフレームを復号するようにＷＴＲＵに示すべきである。
【００３５】
ＭＴＣＨを介して送られたＭＢＭＳ制御情報は、ＭＢＭＳサービス通知、ＭＢＭＳスケジューリング情報、ＭＢＭＳの重要および非重要の変更情報、および／またはＭＢＭＳサービスＩＤを含むことができる。
【００３６】
ＭＢＭＳ中のＢＣＣＨは、ＷＴＲＵがＭＢＭＳ制御およびデータを求めてどこにリッスンすべきかに関する情報を運ぶことができる。ＢＣＣＨは、セル中に別のＭＢＭＳ制御チャネルがない場合にＭＢＭＳ制御情報対してＭＴＣＨだけをモニタするための指示と、ＭＣＣＨが通知などの最初のＭＢＭＳ制御情報に対しても使用されるとき、ＷＴＲＵがＭＢＭＳデータの受信を開始した後、ＭＢＭＳ制御情報に対してＭＴＣＨをモニタするための指示とを含むことができる。ＢＣＣＨはまた、様々なＭＢＭＳサービスが異なった形で搬送される場合、ＭＢＭＳサービスＩＤを含むことができる。
【００３７】
ＷＴＲＵは、セル上に存在する場合はＢＣＣＨから情報を得る必要があるだけである。ＷＴＲＵがＭＢＭＳサービスに参加した後、ＭＢＭＳ制御情報は、ＭＴＣＨまたはＭＣＣＨを介して運ばれることが好ましい。この方法は、ＷＴＲＵが高い頻度で制御チャネルをモニタする必要がないので、ＷＴＲＵのバッテリ消費量を低減することができる。この方法はまた、ＭＣＣＨの送信頻度を減らすことができる。
【００３８】
実施形態
１．マルチメディア放送および同報サービス（ＭＢＭＳ：ｍｕｌｔｉｍｅｄｉａ  ｂｒｏａｄｃａｓｔ  ｍｕｌｔｉｃａｓｔ  ｓｅｒｖｉｃｅ）専用セル中で、ＭＢＭＳを送信する方法であって、無縁送受信装置（ＷＴＲＵ：ｗｉｒｅｌｅｓｓ  ｔｒａｎｓｍｉｔ／ｒｅｃｅｉｖｅ  ｕｎｉｔ）が、ＭＢＭＳ専用セルに関する情報を含むＢＣＨ（ｂｒｏａｄｃａｓｔ  ｃｈａｎｎｅｌ）を受信するステップを含む方法。
【００３９】
２．その情報は、複数のセル固有の情報、および複数の近接するセル情報を含む実施形態１に記載の方法。
【００４０】
３．セル固有の情報は、ＭＣＣＨ（ＭＢＭＳ  ｃｏｎｔｒｏｌ  ｃｈａｎｎｅｌ）時間の指示、ＭＣＣＨ周波数の指示、およびシステムのフレーム番号識別子のうちの少なくとも１つを含む実施形態２に記載の方法。
【００４１】
４．近接するセル情報は、非同期化されたランダムアクセスの送信を許可するセルの指示、ページングチャネルを利用するセルの指示、ＷＴＲＵがページング応答をどこに送信できるかのセルの指示、ＲＡＣＨ（ｒａｎｄｏｍ  ａｃｃｅｓｓ  ｃｈａｎｎｅｌ）情報、およびダウンリンクタイミング情報のうちの少なくとも１つを含む実施形態２または３に記載の方法。
【００４２】
５．ＷＴＲＵがＰＣＨ（ｐａｇｉｎｇ  ｃｈａｎｎｅｌ）を受信するステップをさらに含み、ＰＣＨは、近接するセルに対するＲＡＣＨ関連情報、近接するセルに対するダウンリンクタイミング情報、およびページングインジケータのうちの少なくとも１つを含む実施形態１から４のいずれか１つに記載の方法。
【００４３】
６．ＭＢＭＳ（ｍｕｌｔｉｍｅｄｉａ  ｂｒｏａｄｃａｓｔ  ｍｕｌｔｉｃａｓｔ  ｓｅｒｖｉｃｅ）セル中で、複数のＷＴＲＵ（ｗｉｒｅｌｅｓｓ  ｔｒａｎｓｍｉｔ／ｒｅｃｅｉｖｅ  ｕｎｉｔ）を動作させる方法であって、複数のＷＴＲＵのそれぞれに対して、共通の測定ギャップを調整するステップを含む方法。
【００４４】
７．ＷＴＲＵが、近接するセルに対するフレームタイミングおよびＢＣＨタイミングに関する情報を受信するステップをさらに含む実施形態６に記載の方法。
【００４５】
８．ＷＴＲＵが、近接するセルに対するフレームタイミングおよびＢＣＨタイミングに基づいて、共通の測定をスケジューリングするステップをさらに含む実施形態６または７に記載の方法。
【００４６】
９．ＷＴＲＵが、ＭＢＭＳスケジューリングエンティティから、近接するセルに対するフレームタイミングおよびＢＣＨタイミングに関する情報を受信するステップをさらに含む実施形態７または８に記載の方法。
【００４７】
１０．ＷＴＲＵが、ＭＢＭＳセル中でアップリンクデータを送信するステップをさらに含み、このアップリンクデータは、アップリンクデータ、ページング応答、ＭＢＭＳフィードバック、ＵＲＡ（ＵＭＴＳ  ｒｅｇｉｓｔｒａｔｉｏｎ  ａｒｅａ）更新、システムのフレーム番号識別、およびＭＢＭＳセル識別のうちの少なくとも１つを含む実施形態６から９のいずれか１つに記載の方法。
【００４８】
１１．ＷＴＲＵが、非同期のＲＡＣＨ（ｒａｎｄｏｍ  ａｃｃｅｓｓ  ｃｈａｎｎｅｌ）上でアップリンクデータを送信するステップをさらに含む実施形態１０に記載の方法。
【００４９】
１２．ＷＴＲＵが、ＭＢＭＳセルのＢＣＨからＲＡＣＨ関連情報を取得するステップをさらに含む実施形態１０または１１に記載の方法。
【００５０】
１３．ＷＴＲＵが、ＭＢＭＳセルのＰＣＨからＲＡＣＨ関連情報を取得するステップをさらに含む実施形態１０から１２のいずれか１つに記載の方法。
【００５１】
１４．ＷＴＲＵが、ページングされた後、近接のセルからＲＡＣＨ関連情報を取得するステップをさらに含む実施形態１０から１２のいずれか１つに記載の方法。
【００５２】
１５．ＷＴＲＵが、ＰＣＨを受信する直前に、近接するＭＢＭＳセルからＲＡＣＨ関連情報を取得するステップをさらに含む実施形態１０から１２のいずれか１つに記載の方法。
【００５３】
１６．ＭＢＭＳ（ｍｕｌｔｉｍｅｄｉａ  ｂｒｏａｄｃａｓｔ  ｍｕｌｔｉｃａｓｔ  ｓｅｒｖｉｃｅ）セル中で、ＷＴＲＵを動作させる方法であって、ＷＴＲＵで、複数のデータフレーム、複数のインジケータフレーム、および複数の制御フレームを受信するステップを含み、インジケータフレームは、制御フレームの送信を示している方法。
【００５４】
１７．ＷＴＲＵが、ＭＴＣＨ（ＭＢＭＳ  ｔｒａｆｆｉｃ  ｃｈａｎｎｅｌ）を介して、データと共にＭＢＭＳ制御情報を受信するステップをさらに含む実施形態１６に記載の方法。
【００５５】
１８．インジケータフレームは、次のｎ個のフレームが制御フレームであることの指示、および指示制御フレームの後に続くいくつかの制御フレームの少なくとも一方を含む実施形態１６または１７に記載の方法。
【００５６】
１９．無線ＭＢＭＳ（ｍｕｌｔｉｍｅｄｉａ  ｂｒｏａｄｃａｓｔ  ｍｕｌｔｉｃａｓｔ  ｓｅｒｖｉｃｅ）セル中で動作するように構成されたＷＴＲＵ（ｗｉｒｅｌｅｓｓ  ｔｒａｎｓｍｉｔ／ｒｅｃｅｉｖｅ  ｕｎｉｔ）であって、測定のために信号を受信するようにさらに構成されたＷＴＲＵ。
【００５７】
２０．信号を測定にマッチさせるように測定ギャップを調整するように構成された実施形態１９に記載のＷＴＲＵ。
【００５８】
２１．受信機を備える実施形態１９または２０に記載のＷＴＲＵ。
【００５９】
２２．ＭＢＭＳ専用搬送波を受信するように構成された第１の受信機を備える実施形態１９または２０に記載のＷＴＲＵ。
【００６０】
２３．第２の搬送波を受信するように構成された第２の受信機を備える実施形態２２に記載のＷＴＲＵ。
【００６１】
２４．第２の受信機は、第１の受信機が専用のＭＢＭＳセル中で通信しながら、共通の測定を実施するように構成された実施形態２３に記載のＷＴＲＵ。
【００６２】
２５．ＷＴＲＵは、第１の受信機を用いて測定を実施するように、また必要な測定数が所定の閾値を超える場合、第２の受信機を用いて測定を実施するように構成された実施形態２３または２４に記載のＷＴＲＵ。
【００６３】
２６．ＭＢＭＳチャネルをＷＴＲＵが受信していないとき、ＢＣＨまたはパイロットチャネルを受信するように構成される実施形態２３、２４、または２５に記載のＷＴＲＵ。
【００６４】
２７．無線ＭＢＭＳ（ｍｕｌｔｉｍｅｄｉａ  ｂｒｏａｄｃａｓｔ  ｍｕｌｔｉｃａｓｔ  ｓｅｒｖｉｃｅ）セル中で動作するように構成されたノードＢであって、ＭＢＭＳセル中の複数のＷＴＲＵによる測定のための共通信号を送信するようにさらに構成され、１群のＷＴＲＵに対して共通のＰＣＨを送信するノードＢ。
【００６５】
２８．ノードＢは、各ＷＴＲＵが共通のＰＣＨを受信するように、各ＷＴＲＵのＤＲＸ（ｄｉｓｃｏｎｔｉｎｕｏｕｓ  ｒｅｃｅｐｔｉｏｎ）を調整するようにさらに構成された実施形態２７に記載のノードＢ。
【００６６】
２９．ノードＢは、ＢＣＨ、ＰＣＨ（ｐｉｌｏｔ  ｃｈａｎｎｅｌ）、およびＭＢＭＳチャネルを含む複数のチャネルを送信するようにさらに構成された実施形態２８に記載のノードＢ。
【００６７】
特定の組合せの好ましい諸実施形態において機能およびエレメントが述べられているが、各機能またはエレメントは、その好ましい実施形態の他の機能およびエレメントを用いることなく単独で使用することができる。あるいは他の機能およびエレメントを有するもしくは有しない様々な組合せで使用することもできる。提供された方法またはフロー図は、汎用コンピュータまたはプロセッサにより実行するためのコンピュータ読取可能記憶媒体中で有形に実施されるコンピュータプログラム、ソフトウェア、またはファームウェアで実施することができる。コンピュータ読取可能記憶媒体の例は、ＲＯＭ（読取り専用メモリ）、ＲＡＭ（ランダムアクセスメモリ）、レジスタ、キャッシュメモリ、半導体記憶装置、内部ハードディスクおよび取外し可能ディスクなどの磁気媒体、光磁気媒体、およびＣＤ−ＲＯＭディスクおよびＤＶＤなどの光媒体を含む。
【００６８】
適切なプロセッサは、例として、汎用プロセッサ、専用プロセッサ、従来のプロセッサ、ＤＳＰ（デジタル信号プロセッサ）、複数のマイクロプロセッサ、ＤＳＰコアと関連する１つまたは複数のマイクロプロセッサ、コントローラ、マイクロコントローラ、ＡＳＩＣ（特定用途向けＩＣ）、ＦＰＧＡ（書換え可能なゲートアレイ）回路、ＩＣ（集積回路）の任意の他のタイプ、および／または状態マシンを含む。
【００６９】
ソフトウェアと関連付けられたプロセッサを、ＷＴＲＵ、ＵＥ、端末、基地局、ＲＮＣ（ｒａｄｉｏ  ｎｅｔｗｏｒｋ  ｃｏｎｔｒｏｌｌｅｒ；無線ネットワーク制御装置）、または任意のホストコンピュータで使用するための無線周波数送受信機を実施するために使用することができる。ＷＴＲＵは、カメラ、ビデオカメラモジュール、テレビ電話、スピーカーホン、振動装置、スピーカ、マイクロホン、テレビジョン送受信機、ハンズフリーヘッドセット、キーボード、Ｂｌｕｅｔｏｏｔｈ（登録商標）モジュール、ＦＭ（周波数変調）無線ユニット、ＬＣＤ（液晶ディスプレイ）表示ユニット、有機発光ダイオード（ＯＬＥＤ）表示ユニット、デジタル音楽再生装置、メディアプレイヤ、ビデオゲーム再生装置モジュール、インターネットブラウザ、および／または任意のＷＬＡＮ（無線ローカルエリアネットワーク）モジュールなど、ハードウェアおよび／またはソフトウェアで実装されるモジュールと共に使用することができる。
【図１】
2010505350.tif 000003
【図２】
2010505350.tif 000004
【図３】
2010505350.tif 000005
【図４】
2010505350.tif 000006
【図５】
2010505350.tif 000007
【図６】
2010505350.tif 000008
【手続補正書】
【提出日】平成21年5月27日(2009.5.27)
【手続補正１】
【補正対象書類名】特許請求の範囲
【補正対象項目名】全文
【補正方法】変更
【補正の内容】
【特許請求の範囲】
【請求項１】
マルチメディア放送および同報サービス（ＭＢＭＳ：Ｍｕｌｔｉｍｅｄｉａ  Ｂｒｏａｄｃａｓｔ  Ｍｕｌｔｉｃａｓｔ  Ｓｅｒｖｉｃｅ）専用セル中の複数の無線送受信装置（ＷＴＲＵ：ｗｉｒｅｌｅｓｓ  ｔｒａｎｓｍｉｔ  ｒｅｃｅｉｖｅ  ｕｎｉｔ）により、およびＭＢＭＳ混合使用セル中の複数のＷＴＲＵによりそれぞれ使用される、ＢＣＨ（ｂｒｏａｄｃａｓｔ  ｃｈａｎｎｅｌ）共通測定ギャップおよびＰＣＨ（ｐａｇｉｎｇ  ｃｈａｎｎｅｌ）共通測定ギャップを決定し、前記ＢＣＨ共通測定ギャップおよび前記ＰＣＨ共通測定ギャップを、前記ＭＢＭＳ専用セル中の前記複数の前記ＷＴＲＵおよび前記ＭＢＭＳ混合使用セル中の前記複数のＷＴＲＵに割り当てるように構成されたプロセッサと、
前記ＢＣＨ共通測定ギャップおよび前記ＰＣＨ共通測定ギャップを、前記ＭＢＭＳ専用セル中の前記複数の前記ＷＴＲＵおよび前記ＭＢＭＳ混合使用セル中の前記複数のＷＴＲＵに送信するように構成された送信機と
を備えたことを特徴とするノードＢ。
【請求項２】
前記プロセッサは、前記ＭＢＭＳ専用セル中の前記複数の前記ＷＴＲＵおよび前記ＭＢＭＳ混合使用セル中の前記複数のＷＴＲＵの不連続受信（ＤＲＸ：ｄｉｓｃｏｎｔｉｎｕｏｕｓ  ｒｅｃｅｐｔｉｏｎ）期間を調整するようにさらに構成されたことを特徴とする請求項１に記載のノードＢ。
【請求項３】
前記プロセッサは、高い優先度でページングをスケジュールするようにさらに構成されたことを特徴とする請求項１に記載のノードＢ。
【請求項４】
前記プロセッサは、前記ＭＢＭＳ専用セル中のＭＢＭＳチャネルが前記ＤＲＸ期間と重ならないように、前記ＤＲＸ期間を調整するようにさらに構成されたことを特徴とする請求項２に記載のノードＢ。
【請求項５】
前記ノードＢは、基地局であることを特徴とする請求項１に記載のノードＢ。
【請求項６】
前記ノードＢは、ＲＮＣ（ｒａｄｉｏ  ｎｅｔｗｏｒｋ  ｃｏｎｔｒｏｌｌｅｒ）であることを特徴とする請求項１に記載のノードＢ。
【請求項７】
ノードＢのための方法であって、
マルチメディア放送および同報サービス（ＭＢＭＳ：Ｍｕｌｔｉｍｅｄｉａ  Ｂｒｏａｄｃａｓｔ  Ｍｕｌｔｉｃａｓｔ  Ｓｅｒｖｉｃｅ）専用セル中の複数の無線送受信装置（ＷＴＲＵ：ｗｉｒｅｌｅｓｓ  ｔｒａｎｓｍｉｔ  ｒｅｃｅｉｖｅ  ｕｎｉｔ）により、およびＭＢＭＳ混合使用セル中の複数のＷＴＲＵによりそれぞれが使用される、ＢＣＨ（ｂｒｏａｄｃａｓｔ  ｃｈａｎｎｅｌ）共通測定ギャップおよびＰＣＨ（ｐａｇｉｎｇ  ｃｈａｎｎｅｌ）共通測定ギャップを決定するステップと、
前記ＢＣＨ共通測定ギャップおよび前記ＰＣＨ共通測定ギャップを、前記ＭＢＭＳ専用セル中の前記複数の前記ＷＴＲＵおよび前記ＭＢＭＳ混合使用セル中の前記複数のＷＴＲＵに割り当てるステップと、
前記ＢＣＨ共通測定ギャップおよび前記ＰＣＨ共通測定ギャップを、前記ＭＢＭＳ専用セル中の前記複数の前記ＷＴＲＵおよび前記ＭＢＭＳ混合使用セル中の前記複数のＷＴＲＵに送信するステップと
を備えることを特徴とする方法。
【請求項８】
前記ＭＢＭＳ専用セル中の前記複数の前記ＷＴＲＵおよび前記ＭＢＭＳ混合使用セル中の前記複数のＷＴＲＵの不連続受信（ＤＲＸ：ｄｉｓｃｏｎｔｉｎｕｏｕｓ  ｒｅｃｅｐｔｉｏｎ）期間を調整するステップをさらに備えることを特徴とする請求項７に記載の方法。
【請求項９】
高い優先度でページングをスケジュールするステップをさらに備えることを特徴とする請求項７に記載の方法。
【請求項１０】
前記ＭＢＭＳ専用セル中のＭＢＭＳチャネルが前記ＤＲＸ期間と重ならないように、前記ＤＲＸ期間を調整するステップをさらに備えることを特徴とする請求項７に記載の方法。
【請求項１１】
基地局に対するものであることを特徴とする請求項７に記載の方法。
【請求項１２】
ＲＮＣ（ｒａｄｉｏ  ｎｅｔｗｏｒｋ  ｃｏｎｔｒｏｌｌｅｒ）に対するものであることを特徴とする請求項７に記載の方法。
【国際調査報告】
2010505350.tif 000009
2010505350.tif 000010
2010505350.tif 000011
2010505350.tif 000012
2010505350.tif 000013
2010505350.tif 000014
2010505350.tif 000015